(57)【特許請求の範囲】
【請求項１】
レンズ開口部を有する基板と、前記レンズ開口部のまわりに配置される複数の羽根部材と、前記各羽根部材と係合する複数のカム溝が形成される第一及び第二の羽根押えリングと、前記複数の羽根部材に設けられ、前記第一及び第二の羽根押えリングに形成された前記複数のカム溝内を摺動して前記複数の羽根部材により所定の絞り口径を得る複数のピン部と、前記複数の羽根部材を同一方向に偏らせる弾性部材と、前記羽根部材に係合し前記レンズ開口部のまわりに回動する駆動リングとを備え、
前記第一の羽根押えリングは、前記レンズ開口部のまわりに回動可能に前記基板に取り付けられ、
前記第二の羽根押えリングは、前記第一の羽根押えリングと略同一形状の前記カム溝を有し、該第一の羽根押えリングと相互に逆方向に回動可能に前記基板に取り付けられ、
前記弾性部材は、前記第一及び第二の羽根押えリング間に張架され、該第一及び第二の羽根押えリングの前記複数のカム溝を相互に逆方向に回動付勢することにより該カム溝と前記ピン部材とのガタがなくなるよう嵌合させて前記複数の羽根部材を同一方向に偏らせることを特徴とする絞り装置。
【発明の詳細な説明】
【０００１】
【発明の技術分野】
本発明は、カメラ又はレンズ等の絞り装置に関する。
【０００２】
【従来の技術】
従来、この種の開閉装置としては、例えば図４に示す絞り装置が知られている（特開昭６４−７０７３１号公報参照）。これは、図示するように、円環状に形成された固定調整板１と円環状に形成された回転調整板３とにより回転子１０を構成して、この回転子１０により、絞り羽根４の開閉調整を行なっている。両調整板１，３は、中心軸を一致させてネジ６により一体的に固定されており、回転調整板３には、ネジ６を挿通する挿通孔３ｂが円周方向に長く形成され、固定調整板１に対して回転調整板３がこの挿通孔３ｂの長さ範囲内で相対回転できるようになっている。
【０００３】
固定調整板１には、絞り羽根４の固定ダボ４ａが係合して半径方向に長く延びる長穴の第１係合穴１ａが、円周方向に沿って等間隔に絞り羽根４の枚数と同数穿設されるとともに、偏心ピン２が偏心回転可能に軸支され、さらにネジ６が螺合するネジ穴１ｂが形成されている。偏心ピン２は、回転軸（固定調整板１に嵌合）の中心と頭部２ｂの軸中心とが偏心しており、頭部２ｂが偏心回転するようになっている。
【０００４】
また、回転調整板３には、固定調整板１の各第１係合穴１ａを通して各絞り羽根４の固定ダボ４ａが係合する第２係合穴３ａが、第１係合穴１ａに対して斜め方向にそれぞれ形成されており、また、偏心ピン２が係合する半径方向に長い長穴の調整穴３ｃが形成されている。
さらに、カム板５には、絞り羽根４のカムダボ４ｂが係合するカム溝５ａが、絞り羽根４と同数形成され、絞り羽根４を回転子１０との間に回動自在に保持していて、回転子１０を回転させることにより、固定ダボ４ａを支点として全ての絞り羽根４をカム溝５ａに従って回動させ、所望の絞り径開閉させる。
【０００５】
【発明が解決しようとする課題】
従来の絞り装置は、上記のように、第１係合穴１ａと第２係合穴３ａとを交差させて設け、２枚の調整板１，３を相対回転させることにより絞り羽根４の回転中心位置を移動可能にしている。かかる２枚の調整板１，３の固定にはネジ６を用いている。しかし、カムダボ４ｂとカム溝５ａとのガタがあるため、複数の絞り羽根４がカム溝５ａ内で適宜右又は左に偏らせるため、絞り羽根４によって形成される絞り開口が正多角形とはならず歪な形状となり易い。
【０００６】
また、二枚の絞り羽根だけで絞り開口が形成される絞り装置であれば、相互の羽根にばねを張架すれば良いが、それ以上の枚数の羽根だと、ばね張架が困難である。
本発明は、かかる問題点を解決するためになされたもので、複数の絞り羽根を同一方向に偏らせるように構成して、絞り開口が正多角形となる絞り装置を得る事を課題とする。
【０００７】
【課題を解決するための手段】
本発明にかかる絞り装置は、上記課題を解決するために、レンズ開口部を有する基板と、レンズ開口部のまわりに配置される複数の羽根部材と、各羽根部材と係合する複数のカム溝が形成される第一及び第二の羽根押えリングと、前記複数の羽根部材に設けられ、前記第一及び第二の羽根押えリングに形成された前記複数のカム溝内を摺動して前記複数の羽根部材により所定の絞り口径を得る複数のピン部と、前記複数の羽根部材を同一方向に偏らせる弾性部材と、羽根部材に係合しレンズ開口部のまわりに回動する駆動リングとを備え、前記第一の羽根押えリングは、前記レンズ開口部のまわりに回動可能に前記基板に取り付けられ、前記第二の羽根押えリングは、前記第一の羽根押えリングと略同一形状の前記カム溝を有し、該第一の羽根押えリングと相互に逆方向に回動可能に前記基板に取り付けられ、前記弾性部材は、前記第一及び第二の羽根押えリング間に張架され、該第一及び第二の羽根押えリングの前記複数のカム溝を相互に逆方向に回動付勢することにより該カム溝と前記ピン部材とのガタがなくなるよう嵌合させて前記複数の羽根部材を同一方向に偏らせる構成としたものである。このようにすれば、複数の絞り羽根を同一方向に偏らせることができるので、これらの絞り羽根によって絞り開口を安定して正多角形となるように形成することができ、また絞り口径精度も向上させることができる。
【０００８】
【発明の実施の形態】
このような構成の本発明においては、駆動リングを回動させると、これに係合する複数の羽根部材がレンズ開口部のまわりに回動すると同時に、羽根押さえリングのカム溝に係合しながら回動して羽根部材はレンズ開口部を狭くする方向に閉じる。この場合に、第一及び第二の羽根押さえリングは、相互に逆方向に回動付勢する弾性部材により、それぞれのカム溝が逆方向に回動する。従って、このカム溝に嵌合する絞り羽根のピンは二つのカム溝によって、ガタが一方向に偏らされた状態で作動する。即ち、複数の絞り羽根を同一方向に偏らせるので、これらの絞り羽根によって形成される絞り開口は正多角形となる。
【０００９】
【実施例】
以下、本発明の一実施例を図１ないし図３に基づいて説明する。
図１および図２において、符号２１は、外周面２２が円形をなすとともに中央部に円形のレンズ開口部２３を有し、プラスチック材料等で形成された基板である。この基板２１の前面側（図２中の下方側）には、外周近傍に全周に亘って環状溝２４が形成され、この環状溝２４の外径面を形成するリング状の周縁部２５が前方に突出形成されている。この周縁部２５には複数（この図では３個）の可撓性の爪２６（結合部）が互いにほぼ等間隔に配設されている。符号２８及び３０は、中央にレンズ開口部２３が形成され、基板２１の前方側に配設された第一及び第二の羽根押えリングである。
【００１０】
基板２１の外周面２２とほぼ同一の外径を有する第一の羽根押えリング２８は、爪２６により基板２１にフリクションを与えられて係止されるようになっており、また爪２６に対応する場所（３箇所）に爪２６用の切欠き２９が形成されている。この切欠き２９の幅Ｄは爪２６の幅ｄよりわずかに大きくなっているため、爪２６に係止された第一の羽根押えリング２８は基板２１に対して光軸中心のまわりに、相対的に回動調節可能になっている。一方、第二の羽根押えリング３０は、第一の羽根押えリング２８と略同一形状の後述するカム溝を有し、第一の羽根押えリング２８より外径が小さく、回動自在に基板２１に取り付けられている。また、第一及び第二の羽根押えリング２８，３０の間にはばね６０が張架され、相互に逆方向に回動するよう付勢されている。図３に示すようにばね６０はコイル部をピン６３により、基板２１に固定されている。
【００１１】
図２に示すように、環状溝２４内には円環状の駆動リング４１が回動自在に嵌合しており、この駆動リング４１は、後方に突出した環状部４２の外面に形成された歯部４３に、ステップモータ等と連結する駆動軸４４の歯車４５が噛合することにより、正逆方向に所要角度回転駆動される。
この駆動リング４１と羽根押えリング２８との間には、複数（この実施例では５個であるが、図１では便宜上１個のみ図示している）の絞り羽根４６が配設され、この絞り羽根４６は、後面に固定されたピン４７により駆動リング４１に係合してピン４７を中心として回動自在になっている。
【００１２】
これにより、駆動リング４１が回転すれば絞り羽根４６もピン４７を介してレンズ開口部２３を中心とする円周方向に移動することとなる。絞り羽根４６の前面にはピン４８が固定されており、このピン４８は、第一及び第二の羽根押えリング２８及び３０に形成された弧状のカム溝４９，５０に摺動自在に嵌合している。即ち、駆動リング４１により絞り羽根４６が回動してピン４８がカム溝４９，５０内を摺動することにより、絞り羽根４６がピン４７のまわりに回動してレンズ開口部２３を開閉する。ところで、絞り羽根４６と駆動リング４１は第二の羽根押えリング３０を介在するが、第一の羽根押えリング２８と基板２１とにより挟まれて配置されている。
【００１３】
次に、動作について説明すると、図示しないステップモータ等の駆動源により駆動軸４４が回転し、この駆動力が歯車４５，４３を介して駆動リング４１を回転させる。駆動リング４１が回転すると、各ピン４７を介して複数の絞り羽根４６が駆動リング４１と同方向に回転するが、このとき各絞り羽根４６に設けられた各ピン４８はカム溝４９，５０に案内されて摺動するため、絞り羽根４６はピン４７を中心として回転し、これにより複数個の絞り羽根４６の重なりの結果、所定の絞り口径を得ることができる。この場合に各ピン４８は、二つのカム溝４９，５０がバネ６０により、相互に逆方向に付勢されているのでカム溝４９，５０との間のガタが一方向に偏らされ、しかもガタがなくなるように嵌合する。従って、複数の絞り羽根４６は、ガタがなく、しかも同一方向に偏らして、正多角形の絞り開口を形成する。
【００１４】
なお、上記実施例では、バネ６０により、第一及び第二の羽根押えリング２８，３０に逆方向の回動付勢力を与えたがゴム等の弾性部材であっても同一の作用効果が得られる。
また、上記実施例においては、駆動リング４１が絞り羽根４６とともに、第二の羽根押えリング３０を介在して、第一の羽根押えリング２８と基板２１との間に挟まれて配置されていたが、第二の羽根押えリング３０を第一の羽根押えリング２８の下側に配置してもよい。
【００１５】
また、同一形状のカム溝４９，５０を第一及び第二の羽根押えリング２８，３０に設けたが、必ずしも同一形状とする必要はなく、ガタが退避する方向のカム溝は作用しないのであるから適宜変形していてもよい。さらに両リング２８，３０は同一外径で基板２１に取り付けてあってもよい。
また、駆動軸４４を回転させる駆動源としては、ステップモータでもよいが、手動で行ってもよく、あるいは他のモータを用いてもよい。
さらに本発明は、上記実施例のような絞り装置の他に、テレビカメラ用レンズや一眼レフカメラ用の交換レンズの絞り機構に適用することもできる。
【００１６】
【発明の効果】
以上説明したように、本発明に係る絞り装置は第一及び第二の羽根押えリングが逆方向に弾性部材により回動付勢され、二つのカム溝に複数の絞り羽根のピンを挟持するようにしたから、各絞り羽根は、ガタが一方向に偏よらされ且つ安定するため、絞り開口が歪にならずに正多角形となり、絞り口径精度も向上する。
【図面の簡単な説明】
【図１】本発明の一実施例を示すものでその正面図である。
【図２】図１のＡ−Ａ線断面図である。
【図３】図１のＢ−Ｂ線断面図である。
【図４】従来の絞り装置の分解斜視図である。
【符号の説明】
２１            基板
２３            レンズ開口部
２６            爪（結合部）
２８，３０      羽根押えリング
４１            駆動リング
４６            絞り羽根（羽根部材）
４９、５０      カム溝
【図１】
0004219043.tif 000002
【図２】
0004219043.tif 000003
【図３】
0004219043.tif 000004
【図４】
0004219043.tif 000005